(57)【特許請求の範囲】
【請求項１】
送信信号の周波数帯の高周波受信信号を受信する第一受信アンテナと、
受信信号の周波数帯の高周波受信信号を受信する第二受信アンテナと、
上記第一受信アンテナのアンテナ系または上記第二受信アンテナのアンテナ系を選択するスイッチと、
上記スイッチにより選択されたアンテナ系の受信処理を行う共用受信回路とを備え、
上記二つのアンテナ系のうちの少なくとも一方のアンテナ系には、
局部発振回路により出力された局発信号を分周／逓倍する分周／逓倍回路と、
上記分周／逓倍回路により分周／逓倍された局発信号と当該アンテナ系の高周波受信信号とを混合する混合器と、
上記混合器と上記スイッチとの間に設けられたバンドパスフィルタとを備え、
上記局部発振回路により出力される局発信号の周波数は、上記分周／逓倍回路が停止している状態で上記混合器において高周波受信信号と混合された後の周波数が上記バンドパスフィルタの帯域外の周波数に設定されるとともに、上記分周／逓倍回路は、上記共用受信回路において他方のアンテナ系に対する受信処理を行っている期間には少なくとも分周／逓倍動作を停止することを特徴とする高周波用無線装置。
【請求項２】
送信信号の周波数帯の高周波受信信号を受信する第一受信アンテナと、
受信信号の周波数帯の高周波受信信号を受信する第二受信アンテナと、
上記第一受信アンテナのアンテナ系または上記第二受信アンテナのアンテナ系を選択するスイッチと、
上記スイッチにより選択されたアンテナ系の受信処理を行う共用受信回路とを備え、
上記二つのアンテナ系のうちの少なくとも一方のアンテナ系には、
局部発振回路により出力された局発信号を分周／逓倍する分周／逓倍回路と、
上記分周／逓倍回路により分周／逓倍された局発信号と当該アンテナ系の高周波受信信号とを混合する混合器と、
上記混合器と上記スイッチとの間に設けられたバンドパスフィルタとを備え、
上記分周／逓倍回路は、上記共用受信回路において他方のアンテナ系に対する受信処理を行っている期間には少なくとも上記混合器から出力される信号が上記バンドパスフィルタの帯域外の周波数となるように分周／逓倍動作することを特徴とする高周波用無線装置。
【請求項３】
上記分周／逓倍回路と上記混合器との間に設けられ、局発信号を増幅する局発増幅回路を備え、
上記局発増幅回路は、上記共用受信回路において他方のアンテナ系に対する受信処理を行っている期間には少なくとも局発信号増幅動作を停止することを特徴とする請求項１または請求項２記載の高周波用無線装置。
【請求項４】
上記第一受信アンテナおよび上記第二受信アンテナのうちの少なくとも一方と上記スイッチとの間に設けられ、高周波受信信号を増幅する増幅器を備え、
上記増幅器は、上記共用受信回路において他方のアンテナ系に対する受信処理を行っている期間には少なくとも増幅動作を停止することを特徴とする請求項１から請求項３のうちのいずれか１項記載の高周波用無線装置。
【請求項５】
上記第一受信アンテナおよび上記第二受信アンテナのうちの少なくとも一方と上記スイッチとの間に設けられ、高周波受信信号を減衰する減衰器を備え、
上記減衰器は、上記共用受信回路において他方のアンテナ系に対する受信処理を行っている期間には少なくとも減衰動作することを特徴とする請求項１から請求項３のうちのいずれか１項記載の高周波用無線装置。
【発明の詳細な説明】
【０００１】
【発明の属する技術分野】
この発明は移動体無線通信端末などにおいて好適に用いることができる高周波用無線装置に係り、詳しくは、複数の受信アンテナから受信された高周波信号を１つの共用受信回路で受信処理することで小型化を実現することができる高周波用無線装置の改良に関するものである。
【０００２】
【従来の技術】
図１３は従来の高周波用無線装置の構成を示すブロック図である。図において、１は送信信号の周波数帯の第一高周波受信信号を受信する第一受信アンテナ、２はこの第一高周波受信信号を増幅する第一増幅回路、２９は局発信号を出力する局部発振回路、３０は局発信号を増幅する局発増幅回路、６はこれら増幅された第一高周波受信信号と局発信号とを混合して混合信号を出力する第一混合器、７は混合信号の信号成分のうち受信信号の周波数帯成分のみを透過する第一バンドパスフィルタである。８は受信信号の周波数帯の第二高周波受信信号を受信する第二受信アンテナ、９はこの第二高周波受信信号を増幅する第二増幅回路、１０は増幅された第二高周波受信信号の信号成分のうち受信信号の周波数帯成分のみを透過する第二バンドパスフィルタである。
【０００３】
３１は第一バンドパスフィルタ７あるいは第二バンドパスフィルタ１０のうちの一方の出力を選択して出力するスイッチ、１２はこのスイッチ３１の出力信号を増幅する第三増幅回路、１３はこの第三増幅回路１２の出力信号を第一中間周波数に変換する第三混合器、１４はこの第三混合器１３の出力信号が入力され、第一中間周波数成分のみを透過する第三バンドパスフィルタ、１５は第三バンドパスフィルタ１４の出力を増幅する第四増幅回路、１６は第四増幅回路１５の出力信号を第二中間周波数に変換する第四混合器、１７は第四混合器１６の出力信号により受信レベルを検出する受信レベル検出回路、３２は上記スイッチ３１のオン／オフを制御する制御回路である。
【０００４】
次に動作について説明する。
スイッチ３１が第一バンドパスフィルタ７の出力を選択するように設定すると、第一受信アンテナ１で受信された第一高周波受信信号は、第一増幅回路２で増幅され、第一混合器６において局発信号と混合されて受信信号の周波数帯に周波数変換され、第一バンドパスフィルタ７を透過され、更にスイッチ３１を通過して第三増幅回路１２に入力される。更に、この第三増幅回路１２により増幅された信号は、第三混合器１３において第一中間周波数に変換され、第三バンドパスフィルタ１４において第一中間周波数成分のみが透過され、第四増幅回路１５において増幅され、第四混合器１６において第二中間周波数に変換され、受信レベル検出回路１７に入力される。これにより、受信レベル検出回路１７において送信信号の周波数帯における信号レベルを判断し、この信号レベルに基づいて干渉波の有無を判断することができる。
【０００５】
また、スイッチ３１が第二バンドパスフィルタ１０の出力を選択するように設定すると、第二受信アンテナ８で受信された第二高周波受信信号は、第二増幅回路９で増幅され、第二バンドパスフィルタ１０を透過され、更にスイッチ３１を通過して第三増幅回路１２に入力される。これ以降の動作は上記スイッチ３１が第一バンドパスフィルタ７の出力を選択した場合と同様であり説明を省略する。
【０００６】
【発明が解決しようとする課題】
従来の高周波用無線装置は以上のように構成されているので、スイッチ３１で受信アンテナ１，８を切り替えることでそれぞれの受信アンテナ１，８に受信された高周波信号の受信処理をすることができるが、スイッチ３１のアイソレーション特性のみに依存してそれぞれの高周波信号を択一的に選択することとなり、それぞれの受信アンテナ１，８が高周波で高出力の信号を受信するようになればなるほど、十分なアイソレーション特性を確保することが難しくなってしまうなどの課題があった。
【０００７】
特に、高周波信号を受信する２つのアンテナ系を備え、それらの間で高速でスイッチング動作をさせようとすると、スイッチ３１としてはＧａＡｓ基板上に形成された高周波半導体スイッチを用いる必要があり、この課題は重要となってくる。
【０００８】
また、上記従来の高周波用無線装置では、局部発振回路２９から出力される局発信号と第一受信アンテナ１が受信した高周波信号とを第一混合器６で混合している。そして、この局部発振回路２９は電源投入から安定した周波数状態となるまでの時間がかかる。その結果、上述したようにスイッチングによって一方の高周波信号を択一的に選択させるように構成しなければ高周波信号を用いた高速通信において十分実用性を得ることができないが、そのような構成が故に、第二高周波受信信号を選択している際に第一高周波受信信号がスイッチ３１を介して後段へ漏れ出してしまう信号のレベルが比較的高く、十分なアイソレーション特性を確保することが特に難しい。
【０００９】
この発明は上記のような課題を解決するためになされたもので、スイッチで受信アンテナを切り替えることでそれぞれの受信アンテナに受信された高周波信号の受信処理をしつつも十分なアイソレーション特性を確保することができ、ひいては、局部発振回路が出力する局発信号と受信アンテナが受信する高周波信号とを混合器で混合するような場合であったとしても十分なアイソレーション特性を確保することができる高周波用無線装置を得ることを目的とする。
【００１０】
【課題を解決するための手段】
この発明に係る高周波用無線装置は、送信信号の周波数帯の高周波受信信号を受信する第一受信アンテナと、受信信号の周波数帯の高周波受信信号を受信する第二受信アンテナと、上記第一受信アンテナのアンテナ系または上記第二受信アンテナのアンテナ系を選択するスイッチと、上記スイッチにより選択されたアンテナ系の受信処理を行う共用受信回路とを備え、上記二つのアンテナ系のうちの少なくとも一方のアンテナ系には、局部発振回路により出力された局発信号を分周／逓倍する分周／逓倍回路と、上記分周／逓倍回路により分周／逓倍された局発信号と当該アンテナ系の高周波受信信号とを混合する混合器と、上記混合器と上記スイッチとの間に設けられたバンドパスフィルタとを備え、上記局部発振回路により出力される局発信号の周波数は、上記分周／逓倍回路が停止している状態で上記混合器において高周波受信信号と混合された後の周波数が上記バンドパスフィルタの帯域外の周波数に設定されるとともに、上記分周／逓倍回路は、上記共用受信回路において他方のアンテナ系に対する受信処理を行っている期間には少なくとも分周／逓倍動作を停止するものである。
【００１１】
この発明に係る高周波用無線装置は、送信信号の周波数帯の高周波受信信号を受信する第一受信アンテナと、受信信号の周波数帯の高周波受信信号を受信する第二受信アンテナと、上記第一受信アンテナのアンテナ系または上記第二受信アンテナのアンテナ系を選択するスイッチと、上記スイッチにより選択されたアンテナ系の受信処理を行う共用受信回路とを備え、上記二つのアンテナ系のうちの少なくとも一方のアンテナ系には、局部発振回路により出力された局発信号を分周／逓倍する分周／逓倍回路と、上記分周／逓倍回路により分周／逓倍された局発信号と当該アンテナ系の高周波受信信号とを混合する混合器と、上記混合器と上記スイッチとの間に設けられたバンドパスフィルタとを備え、上記分周／逓倍回路は、上記共用受信回路において他方のアンテナ系に対する受信処理を行っている期間には少なくとも上記混合器から出力される信号が上記バンドパスフィルタの帯域外の周波数となるように分周／逓倍動作するものである。
【００１２】
この発明に係る高周波用無線装置は、上記分周／逓倍回路と上記混合器との間に設けられ、局発信号を増幅する局発増幅回路を備え、上記局発増幅回路は、上記共用受信回路において他方のアンテナ系に対する受信処理を行っている期間には少なくとも局発信号増幅動作を停止するものである。
【００１３】
この発明に係る高周波用無線装置は、上記第一受信アンテナおよび上記第二受信アンテナのうちの少なくとも一方と上記スイッチとの間に設けられ、高周波受信信号を増幅する増幅器を備え、上記増幅器は、上記共用受信回路において他方のアンテナ系に対する受信処理を行っている期間には少なくとも増幅動作を停止するものである。
【００１４】
この発明に係る高周波用無線装置は、上記第一受信アンテナおよび上記第二受信アンテナのうちの少なくとも一方と上記スイッチとの間に設けられ、高周波受信信号を減衰する減衰器を備え、上記減衰器は、上記共用受信回路において他方のアンテナ系に対する受信処理を行っている期間には少なくとも減衰動作するものである。
【００１５】
【発明の実施の形態】
以下、この発明の実施の一形態を説明する。
実施の形態１．
図１はこの発明の実施の形態１による送信信号と受信信号とが異なる周波数にて無線通信を行う高周波用無線装置を示すブロック図である。図において、１は送信信号の周波数帯において好適に受信するサイズに形成された第一受信アンテナ（受信アンテナ）、２はこの第一受信アンテナ１から出力される第一高周波受信信号を増幅する第一増幅回路、３は局発信号を出力する局部発振回路、４は局発信号を分周して分周局発信号を出力する分周回路（分周／逓倍回路）、５は分周局発信号を増幅する局発増幅回路、６は第一増幅回路２の出力と局発増幅回路５の出力とを混合して混合信号を出力する第一混合器（混合器）、７は混合信号の信号成分のうち受信信号の周波数帯成分のみを透過する第一バンドパスフィルタ（バンドパスフィルタ）である。
【００１６】
そして、上記局発信号は、それが直接に送信信号の周波数帯の信号と混合された際の周波数が第一バンドパスフィルタ７の帯域外であって、且つ、送信信号の周波数と受信信号の周波数との差分周波数のｎ倍（ｎは整数）の周波数に設定されており、上記分周回路４は当該局発信号の周波数を１／ｎに分周するように設定されている。例えばｎ＝４程度にすればよい。
【００１７】
８は受信信号の周波数帯において好適に受信するサイズに形成された第二受信アンテナ（受信アンテナ）、９はこの第二受信アンテナ８から出力される第二高周波受信信号を増幅する第二増幅回路、１０は増幅された第二高周波受信信号の信号成分のうち受信信号の周波数帯成分のみを透過する第二バンドパスフィルタである。
【００１８】
１１はＧａＡｓ基板上に形成され、第一バンドパスフィルタ７あるいは第二バンドパスフィルタ１０のうちの一方の出力を選択して出力する高周波半導体スイッチ（スイッチ、共用受信回路）、１２はこの高周波半導体スイッチ１１の出力信号を増幅する第三増幅回路（共用受信回路）、１３はこの第三増幅回路１２の出力信号を第一中間周波数に変換する第三混合器（共用受信回路）、１４はこの第三混合器１３の出力信号が入力され、第一中間周波数成分のみを透過する第三バンドパスフィルタ（共用受信回路）、１５は第三バンドパスフィルタ１４の出力を増幅する第四増幅回路（共用受信回路）、１６は第四増幅回路１５の出力信号を第二中間周波数に変換する第四混合器（共用受信回路）、１７は第四混合器１６の出力信号により受信レベルを検出する受信レベル検出回路（共用受信回路）である。
【００１９】
１８は分周回路４の電源系に直列に接続された第一スイッチ、１９は局発増幅回路５の電源系に直列に接続された第二スイッチ、２０はこれら第一スイッチ１８、第二スイッチ１９および高周波半導体スイッチ１１のオン／オフを制御する制御回路である。
【００２０】
次に動作について説明する。
第一スイッチ１８および第二スイッチ１９をオン状態にして局発増幅回路５から送信信号の周波数と受信信号の周波数との差分周波数の分周局発信号が出力された状態で、高周波半導体スイッチ１１が第一バンドパスフィルタ７の出力を選択するように設定すると、第一受信アンテナ１から入力された送信信号の周波数帯の信号は、第一増幅回路２で増幅され、第一混合器６において受信信号の周波数帯に周波数変換され、第一バンドパスフィルタ７を透過され、更に高周波半導体スイッチ１１を通過して第三増幅回路１２に入力される。
【００２１】
この第三増幅回路１２により増幅された信号は、第三混合器１３において第一中間周波数に変換され、第三バンドパスフィルタ１４において第一中間周波数成分のみが透過され、第四増幅回路１５において増幅され、第四混合器１６において第二中間周波数に変換され、受信レベル検出回路１７に入力される。この受信レベル検出回路１７は、第四混合器１６から入力された信号に基づいて送信信号の周波数帯の信号の受信レベルを検出する。そして、例えばこの検出された受信レベルが送信信号の本来の平均レベルに比べて高かったりあるいは低かったりすれば、送信信号の周波数帯において複数の送信信号が送受信されている状態、すなわち自分の送信信号の他に不要な干渉波信号が送受信されている状態であると判断することができる。
【００２２】
また、第一スイッチ１８および第二スイッチ１９をオフ状態にすると、局部発振回路３から出力された局発信号は分周回路４において分周されなくなるので、局発増幅回路５からは局発信号と同じ周波数の分周局発信号が増幅されずに出力される。このような状態で、高周波半導体スイッチ１１が第二バンドパスフィルタ１０の出力を選択するように設定すると、第二受信アンテナ８から入力された受信信号の周波数帯の信号は、第二増幅回路９で増幅され、第二バンドパスフィルタ１０でフィルタリングされ、高周波半導体スイッチ１１を通過し、第三増幅回路１２に入力される。これ以降の動作は上記高周波半導体スイッチ１１が第一バンドパスフィルタ７の出力を選択した場合と同様であり説明を省略する。そして、受信レベル検出回路１７は、第四混合器１６から入力された信号に基づいて受信信号の周波数帯の信号の受信レベルを検出する。そして、例えばこの検出された受信レベルが受信信号の本来の平均レベルに比べて高かったりあるいは低かったりすれば、受信信号の周波数帯において複数の受信信号が送受信されている状態、すなわち例えば自分に対する受信信号の他に不要な干渉波信号が送受信されている状態であると判断することができる。
【００２３】
この際、第一スイッチ１８および第二スイッチ１９をオフ状態にして局発増幅回路５からは局発信号と同じ周波数の分周局発信号が増幅されずに出力されるようにしているので、第一受信アンテナ１に送信信号の周波数帯の信号が入力されたとしても、第一混合器６からは第一バンドパスフィルタ７の帯域外の周波数が出力されることになる。
【００２４】
従って、この第一混合器６から出力される信号は第一バンドパスフィルタ７において減衰され、これが高周波半導体スイッチ１１に入力されたとしてもそのレベルは減衰されて受信信号のレベルに比べてずっと低くなっているので、十分なアイソレーション特性を確保することができる効果がある。
【００２５】
特に、送信信号の周波数帯における不要波の検出をしないときには必ず上記第一スイッチ１８および第二スイッチ１９をオフ状態に制御することで、送信信号の周波数帯における干渉波を検出しないときには、自分が送信した送信信号により上記アイソレーション特性が損なわれないようにすることができ、ひいては自分の送信信号を誤って受信信号として判断してしまうことも効果的に抑制することができる。
【００２６】
なお、上記第一スイッチ１８や第二スイッチ１９がオフ状態からオン状態になってから分周回路４や局発増幅回路５が適当に動作するまでの時間は一般的に数ｎｓｅｃであるので、しかも、上記第一スイッチ１８や第二スイッチ１９がオン状態からオフ状態になってから分周回路４や局発増幅回路５が動作を停止するまでの時間は一般的に数ｎｓｅｃであるので、局部発振回路３の起動停止を制御する場合に比べて格段に高速に動作状態を切り替えることができ、このような高周波受信信号の間での切り替え動作としても十分高速に切り替えることができる。ちなみに、局部発振回路３の起動停止を制御した場合には数十ｍｓｅｃ程度の時間がかかってしまう。
【００２７】
実施の形態２．
図２はこの発明の実施の形態２による送信信号と受信信号とが異なる周波数にて無線通信を行う高周波用無線装置を示すブロック図である。図において、２１は局発信号を実施の形態１と同様に１／ｎの周波数に分周して分周局発信号を出力する第一モードと、分周局発信号と送信信号の周波数帯の信号と混合した際の周波数が第一バンドパスフィルタ７の帯域外となるように局発信号を分周（例えば周波数を１／２とする）する第二モードとで動作する分周回路（分周／逓倍回路）である。そして、この分周回路２１にはその動作モードを切り替えるために、実施の形態１において制御回路２０が第一スイッチ１８のオン／オフ制御のために出力していた信号が入力されている。これ以外の構成は実施の形態１と同様であり説明を省略する。
【００２８】
次に動作について説明する。
高周波半導体スイッチ１１が第一バンドパスフィルタ７の出力を選択するように設定する場合には、制御回路２０は第二スイッチ１９をオン状態にするとともに分周回路２１を第一モードに設定する。これにより、局発信号を１／ｎの周波数に分周した分周局発信号が分周回路２１から出力され、第一受信アンテナ１から入力された送信信号の周波数帯の信号は、第一増幅回路２で増幅され、第一混合器６において受信信号の周波数帯に周波数変換され、第一バンドパスフィルタ７を透過され、更に高周波半導体スイッチ１１を通過して第三増幅回路１２に入力される。以下の動作は実施の形態１と同様であり説明を省略する。
【００２９】
また、第二スイッチ１９をオフ状態にするとともに分周回路２１を第二モードに設定すると、局部発振回路３から出力された局発信号は分周回路２１において分周されるが、これと第一受信アンテナ１から入力された送信信号の周波数帯の信号とを混合した信号の周波数は第一バンドパスフィルタ７の帯域外となる。従って、この第一混合器６から出力される信号は第一バンドパスフィルタ７において減衰され、これが高周波半導体スイッチ１１に入力されたとしてもそのレベルは減衰されて受信信号のレベルに比べてずっと低くなっているので、十分なアイソレーション特性を確保することができる効果がある。これ以外の動作は実施の形態１と同様であり説明を省略する。
【００３０】
なお、上記分周回路２１のモード切り替え時間は、実施の形態１の分周回路４のオン／オフ状態を切り替える場合と同様に局部発振回路３の起動停止を制御する場合に比べて格段に短いので、このような高周波受信信号の間での切り替え動作としても十分高速に切り替えることができる。
【００３１】
実施の形態３．
図３はこの発明の実施の形態３による送信信号と受信信号とが異なる周波数にて無線通信を行う高周波用無線装置を示すブロック図である。図において、２２は局発信号を出力する局部発振回路、２３は局発信号を逓倍して逓倍局発信号を局発増幅回路５へ出力する逓倍回路（分周／逓倍回路）である。そして、上記局発信号は、それが直接に送信信号の周波数帯の信号と混合された際の周波数が第一バンドパスフィルタ７の帯域外であって、且つ、送信信号の周波数と受信信号の周波数との差分周波数の１／ｎ倍（ｎは整数）の周波数に設定されており、上記逓倍回路２３は当該局発信号の周波数をｎ倍に逓倍するように設定されている。例えばｎ＝４程度にすればよい。また、第一スイッチ１８は逓倍回路２３の電源系に直列に接続されている。これ以外の構成は実施の形態１と同様であり説明を省略する。
【００３２】
次に動作について説明する。
第一スイッチ１８および第二スイッチ１９をオン状態にすると、送信信号の周波数と受信信号の周波数との差分周波数の１／ｎ倍（ｎは整数）の周波数の局発信号が局部発振回路２２から出力され、逓倍回路２３はこの局発信号の周波数をｎ倍に逓倍した逓倍局発信号を局発増幅回路５へ出力する。従って、この逓倍局発信号は実施の形態１の分周局発信号と同一の周波数となり、高周波半導体スイッチ１１が第一バンドパスフィルタ７の出力を選択するように設定すると、第一受信アンテナ１から入力された送信信号の周波数帯の信号は、第一増幅回路２で増幅され、第一混合器６において受信信号の周波数帯に周波数変換され、第一バンドパスフィルタ７を透過され、更に高周波半導体スイッチ１１を通過して第三増幅回路１２に入力される。これ以降の動作は実施の形態１と同様であり説明を省略する。
【００３３】
また、第一スイッチ１８および第二スイッチ１９をオフ状態にすると、局部発振回路２２から出力された局発信号は逓倍回路２３において逓倍されなくなるので、局発増幅回路５からは局発信号と同じ周波数の逓倍局発信号が増幅されずに出力される。従って、第一受信アンテナ１に送信信号の周波数帯の信号が入力されたとしても、第一混合器６からは第一バンドパスフィルタ７の帯域外の周波数が出力されることになり、この第一混合器６から出力される信号は第一バンドパスフィルタ７において減衰され、十分なアイソレーション特性を確保することができる効果がある。これ以外の動作は実施の形態１と同様であり説明を省略する。
【００３４】
なお、上記逓倍回路２３のオン／オフ状態の切り替え時間は、実施の形態１の分周回路４のオン／オフ状態を切り替える場合と同様に局部発振回路２２の起動停止を制御する場合に比べて格段に短いので、このような高周波受信信号の間での切り替え動作としても十分高速に切り替えることができる。
【００３５】
実施の形態４．
図４はこの発明の実施の形態４による送信信号と受信信号とが異なる周波数にて無線通信を行う高周波用無線装置を示すブロック図である。図において、２４は第二増幅回路９と第二バンドパスフィルタ１０との間に配設され、第二増幅回路９から出力される第二高周波受信信号を減衰する減衰回路（減衰器）、２５は実施の形態１と同様に第一スイッチ１８、第二スイッチ１９および高周波半導体スイッチ１１を制御するとともに、高周波半導体スイッチ１１において第二バンドパスフィルタ１０の出力を選択していないときには上記減衰回路２４を動作状態に制御する制御回路である。これ以外の構成は実施の形態１と同様であり説明を省略する。
【００３６】
次に動作について説明する。
第一スイッチ１８および第二スイッチ１９をオン状態にするとともに高周波半導体スイッチ１１が第一バンドパスフィルタ７の出力を選択するように設定する状態では、制御回路２５から減衰回路２４へ動作状態に制御する制御信号が出力される。そして、この減衰回路２４は、第二増幅回路９から出力される第二高周波受信信号を減衰して第二バンドパスフィルタ１０へ出力する。従って、この第二バンドパスフィルタ１０から高周波半導体スイッチ１１に入力される第一高周波受信信号のレベルは受信信号のレベルに比べてずっと低くなっているので、十分なアイソレーション特性を確保することができる効果がある。
【００３７】
また、第一スイッチ１８および第二スイッチ１９をオフ状態にするとともに高周波半導体スイッチ１１が第二バンドパスフィルタ１０の出力を選択するように設定する状態では、制御回路２５から減衰回路２４へ動作を停止する制御信号が出力される。そして、この減衰回路２４はその動作を停止するので、第二増幅回路９から出力される第二高周波受信信号をそのまま第二バンドパスフィルタ１０へ出力する。これ以外の動作は実施の形態１と同様であり説明を省略する。
【００３８】
なお、上記減衰回路２４の動作状態の切り替え時間は、実施の形態１の分周回路４のオン／オフ状態を切り替える場合と同様に局部発振回路３の起動停止を制御する場合に比べて格段に短いので、このような高周波受信信号の間での切り替え動作としても十分高速に切り替えることができる。
【００３９】
また、この実施の形態４では実施の形態１の高周波用無線装置の構成を前提として説明したが、実施の形態２や実施の形態３の構成を前提としても同様の位置に減衰回路２４を設けることにより同様の効果を得ることができる。参考までに、実施の形態２の構成を前提とした場合の構成を図５に、実施の形態３の構成を前提とした場合の構成を図６に示す。
【００４０】
実施の形態５．
図７はこの発明の実施の形態５による送信信号と受信信号とが異なる周波数にて無線通信を行う高周波用無線装置を示すブロック図である。図において、２６は第二増幅回路９（増幅器）の電源系に直列に接続された第三スイッチ、２７は実施の形態１と同様に第一スイッチ１８、第二スイッチ１９および高周波半導体スイッチ１１を制御するとともに、高周波半導体スイッチ１１において第二バンドパスフィルタ１０の出力を選択していないときには上記第三スイッチ２６をオフ状態に制御する制御回路である。これ以外の構成は実施の形態１と同様であり説明を省略する。
【００４１】
次に動作について説明する。
第一スイッチ１８および第二スイッチ１９をオン状態にするとともに高周波半導体スイッチ１１が第一バンドパスフィルタ７の出力を選択するように設定する状態では、制御回路２７から第三スイッチ２６へオフ状態に制御する制御信号が出力される。そして、この第三スイッチ２６は、第二増幅回路９による第二高周波受信信号の増幅を停止させ、第二受信アンテナ８に受信された当該第二高周波受信信号はそのまま第二バンドパスフィルタ１０に入力される。従って、この第二バンドパスフィルタ１０から高周波半導体スイッチ１１に入力される第二高周波受信信号のレベルは受信信号のレベルに比べてずっと低くなっているので、十分なアイソレーション特性を確保することができる効果がある。
【００４２】
また、第一スイッチ１８および第二スイッチ１９をオフ状態にするとともに高周波半導体スイッチ１１が第二バンドパスフィルタ１０の出力を選択するように設定する状態では、制御回路２７から第三スイッチ２６へオン状態に制御する制御信号が出力される。そして、この第三スイッチ２６がオン状態となるので、第二増幅回路９は第二受信アンテナ８から出力される第二高周波受信信号を増幅して第二バンドパスフィルタ１０へ出力する。これ以外の動作は実施の形態１と同様であり説明を省略する。
【００４３】
なお、上記第二増幅回路９のオン／オフ状態の切り替え時間は、実施の形態１の分周回路４のオン／オフ状態を切り替える場合と同様に局部発振回路３の起動停止を制御する場合に比べて格段に短いので、このような高周波受信信号の間での切り替え動作としても十分高速に切り替えることができる。
【００４４】
また、この実施の形態５では実施の形態１の高周波用無線装置の構成を前提として説明したが、実施の形態２や実施の形態３の構成を前提としても同様の位置に第三スイッチ２６を設けることにより同様の効果を得ることができる。参考までに、実施の形態２の構成を前提とした場合の構成を図８に、実施の形態３の構成を前提とした場合の構成を図９に示す。
【００４５】
実施の形態６．
図１０はこの発明の実施の形態６による送信信号と受信信号とが異なる周波数にて無線通信を行う高周波用無線装置を示すブロック図である。図において、２８は実施の形態１と同様に第一スイッチ１８、第二スイッチ１９および高周波半導体スイッチ１１を制御するとともに、高周波半導体スイッチ１１において第二バンドパスフィルタ１０の出力を選択していないときには減衰回路２４（減衰器）を動作状態に制御するとともに第三スイッチ２６をオフ状態に制御する制御回路である。これ以外の構成は図４および図７と同様であり同一の符号を付して説明を省略する。
【００４６】
次に動作について説明する。
第一スイッチ１８および第二スイッチ１９をオン状態にするとともに高周波半導体スイッチ１１が第一バンドパスフィルタ７の出力を選択するように設定する状態では、制御回路２８から第三スイッチ２６へオフ状態に制御する制御信号が出力されるとともに、減衰回路２４へ動作状態に制御する制御信号が出力される。従って、第二受信アンテナ８で受信された第二高周波受信信号は第二増幅回路９（増幅器）で増幅されること無く、且つ、減衰回路２４にて減衰されて高周波半導体スイッチ１１に入力される。その結果、第二高周波受信信号のレベルは実施の形態４や５における受信信号のレベルと比べてもずっと低くなっているので、十分なアイソレーション特性を確保することができる効果がある。
【００４７】
また、第一スイッチ１８および第二スイッチ１９をオフ状態にするとともに高周波半導体スイッチ１１が第二バンドパスフィルタ１０の出力を選択するように設定する状態では、制御回路２８から第三スイッチ２６へオン状態に制御する制御信号が出力されるとともに、減衰回路２４へ動作を停止する制御信号が出力される。従って、第二受信アンテナ８で受信された第二高周波受信信号は第二増幅回路９で増幅され、且つ、減衰回路２４にて減衰されることなく高周波半導体スイッチ１１に入力される。つまり、単に第二増幅回路９で増幅された状態と同様の信号レベルにて高周波半導体スイッチ１１に入力される。これ以外の動作は実施の形態１と同様であり説明を省略する。
【００４８】
なお、上記第二増幅回路９のオン／オフ状態の切り替え時間や、上記減衰回路２４の動作状態切り替え時間は、実施の形態１の分周回路４のオン／オフ状態を切り替える場合と同様に局部発振回路３の起動停止を制御する場合に比べて格段に短いので、このような高周波受信信号の間での切り替え動作としても十分高速に切り替えることができる。
【００４９】
また、この実施の形態６では実施の形態１の高周波用無線装置の構成を前提として説明したが、実施の形態２や実施の形態３の構成を前提としても同様の位置に第三スイッチ２６および減衰回路２４を設けることにより同様の効果を得ることができる。参考までに、実施の形態２の構成を前提とした場合の構成を図１１に、実施の形態３の構成を前提とした場合の構成を図１２に示す。これらの構成において各構成要素は図５、図６、図８、図９と同様であり同一の符号を付して説明を省略する。
【００５０】
【発明の効果】
以上のように、この発明によれば、送信信号の周波数帯の高周波受信信号を受信する第一受信アンテナと、受信信号の周波数帯の高周波受信信号を受信する第二受信アンテナと、上記第一受信アンテナのアンテナ系または上記第二受信アンテナのアンテナ系を選択するスイッチと、上記スイッチにより選択されたアンテナ系の受信処理を行う共用受信回路とを備え、上記二つのアンテナ系のうちの少なくとも一方のアンテナ系には、局部発振回路により出力された局発信号を分周／逓倍する分周／逓倍回路と、上記分周／逓倍回路により分周／逓倍された局発信号と当該アンテナ系の高周波受信信号とを混合する混合器と、上記混合器と上記スイッチとの間に設けられたバンドパスフィルタとを備え、上記局部発振回路により出力される局発信号の周波数は、上記分周／逓倍回路が停止している状態で上記混合器において高周波受信信号と混合された後の周波数が上記バンドパスフィルタの帯域外の周波数に設定されるとともに、上記分周／逓倍回路は、上記共用受信回路において他方のアンテナ系に対する受信処理を行っている期間には少なくとも分周／逓倍動作を停止するように構成したので、共用受信回路において他方のアンテナ系の高周波信号に対する受信処理を行っている期間には当該局発信号に基づいてスイッチに入力されてしまう信号をバンドパスフィルタの帯域制限に基づいて減衰させ、ひいては十分なアイソレーション特性を確保することができる効果がある。
【００５１】
この発明によれば、送信信号の周波数帯の高周波受信信号を受信する第一受信アンテナと、受信信号の周波数帯の高周波受信信号を受信する第二受信アンテナと、上記第一受信アンテナのアンテナ系または上記第二受信アンテナのアンテナ系を選択するスイッチと、上記スイッチにより選択されたアンテナ系の受信処理を行う共用受信回路とを備え、上記二つのアンテナ系のうちの少なくとも一方のアンテナ系には、局部発振回路により出力された局発信号を分周／逓倍する分周／逓倍回路と、上記分周／逓倍回路により分周／逓倍された局発信号と当該アンテナ系の高周波受信信号とを混合する混合器と、上記混合器と上記スイッチとの間に設けられたバンドパスフィルタとを備え、上記分周／逓倍回路は、上記共用受信回路において他方のアンテナ系に対する受信処理を行っている期間には少なくとも上記混合器から出力される信号が上記バンドパスフィルタの帯域外の周波数となるように分周／逓倍動作するように構成したので、共用受信回路において他方のアンテナ系の高周波信号に対する受信処理を行っている期間には当該局発信号に基づいてスイッチに入力されてしまう信号をバンドパスフィルタの帯域制限に基づいて減衰させ、ひいては十分なアイソレーション特性を確保することができる効果がある。
【００５２】
この発明によれば、上記分周／逓倍回路と上記混合器との間に設けられ、局発信号を増幅する局発増幅回路を備え、上記局発増幅回路は、上記共用受信回路において他方のアンテナ系に対する受信処理を行っている期間には少なくとも局発信号増幅動作を停止するように構成したので、共用受信回路において他方のアンテナ系の高周波信号に対する受信処理を行っている期間には当該局発信号増幅動作を停止させることにより、スイッチに入力されてしまう信号をバンドパスフィルタの帯域制限に基づいて減衰させ、ひいては十分なアイソレーション特性を確保することができる効果がある。
【００５３】
この発明によれば、上記第一受信アンテナおよび上記第二受信アンテナのうちの少なくとも一方と上記スイッチとの間に設けられ、高周波受信信号を増幅する増幅器を備え、上記増幅器は、上記共用受信回路において他方のアンテナ系に対する受信処理を行っている期間には少なくとも増幅動作を停止するように構成したので、その増幅動作を停止した分だけ、当該他方のアンテナ系の高周波信号のスイッチへの入力レベルと、当該増幅動作を停止したアンテナ系の高周波信号のスイッチへの入力レベルのレベル差を拡大することができる。
従って、上述したように入力レベルのレベル差を拡大することができるので、局部発振回路から出力される局発信号と受信アンテナが受信した高周波信号とを混合器で混合するような場合であったとしても、十分なアイソレーション特性を確保することができる効果がある。
【００５４】
この発明によれば、上記第一受信アンテナおよび上記第二受信アンテナのうちの少なくとも一方と上記スイッチとの間に設けられ、高周波受信信号を減衰する減衰器を備え、上記減衰器は、上記共用受信回路において他方のアンテナ系に対する受信処理を行っている期間には少なくとも減衰動作するように構成したので、その減衰動作を停止した分だけ、当該他方のアンテナ系の高周波信号のスイッチへの入力レベルと、当該増幅動作を停止したアンテナ系の高周波信号のスイッチへの入力レベルのレベル差を拡大することができる。
従って、上述したように入力レベルのレベル差を拡大することができるので、局部発振回路から出力される局発信号と受信アンテナが受信した高周波信号とを混合器で混合するような場合であったとしても、十分なアイソレーション特性を確保することができる効果がある。
【図面の簡単な説明】
【図１】  この発明の実施の形態１による送信信号と受信信号とが異なる周波数にて無線通信を行う高周波用無線装置を示すブロック図である。
【図２】  この発明の実施の形態２による送信信号と受信信号とが異なる周波数にて無線通信を行う高周波用無線装置を示すブロック図である。
【図３】  この発明の実施の形態３による送信信号と受信信号とが異なる周波数にて無線通信を行う高周波用無線装置を示すブロック図である。
【図４】  この発明の実施の形態４による送信信号と受信信号とが異なる周波数にて無線通信を行う高周波用無線装置を示すブロック図である。
【図５】  この発明の実施の形態４の高周波用無線装置の変形例（その１）を示すブロック図である。
【図６】  この発明の実施の形態４の高周波用無線装置の変形例（その２）を示すブロック図である。
【図７】  この発明の実施の形態５による送信信号と受信信号とが異なる周波数にて無線通信を行う高周波用無線装置を示すブロック図である。
【図８】  この発明の実施の形態５の高周波用無線装置の変形例（その１）を示すブロック図である。
【図９】  この発明の実施の形態５の高周波用無線装置の変形例（その２）を示すブロック図である。
【図１０】  この発明の実施の形態６による送信信号と受信信号とが異なる周波数にて無線通信を行う高周波用無線装置を示すブロック図である。
【図１１】  この発明の実施の形態６の高周波用無線装置の変形例（その１）を示すブロック図である。
【図１２】  この発明の実施の形態６の高周波用無線装置の変形例（その２）を示すブロック図である。
【図１３】  従来の高周波用無線装置の構成を示すブロック図である。
【符号の説明】
１  第一受信アンテナ（受信アンテナ）、２  第一増幅回路、３  局部発振回路、４  分周回路（分周／逓倍回路）、５  局発増幅回路、６  第一混合器、７  第一バンドパスフィルタ、８  第二受信アンテナ（受信アンテナ）、９  第二増幅回路（増幅器）、１０  第二バンドパスフィルタ、１１  高周波半導体スイッチ（スイッチ、共用受信回路）、１２  第三増幅回路（共用受信回路）、１３  第三混合器（共用受信回路）、１４  第三バンドパスフィルタ（共用受信回路）、１５  第四増幅回路（共用受信回路）、１６  第四混合器（共用受信回路）、１７  受信レベル検出回路（共用受信回路）、１８  第一スイッチ、１９  第二スイッチ、２０  制御回路、２１  分周回路（分周／逓倍回路）、２２  局部発振回路、２３  逓倍回路（分周／逓倍回路）、２４  減衰回路（減衰器）、２５  制御回路、２６  第三スイッチ、２７  制御回路、２８  制御回路。
【図１】
0004087031.tif 000002
【図２】
0004087031.tif 000003
【図３】
0004087031.tif 000004
【図４】
0004087031.tif 000005
【図５】
0004087031.tif 000006
【図６】
0004087031.tif 000007
【図７】
0004087031.tif 000008
【図８】
0004087031.tif 000009
【図９】
0004087031.tif 000010
【図１０】
0004087031.tif 000011
【図１１】
0004087031.tif 000012
【図１２】
0004087031.tif 000013
【図１３】
0004087031.tif 000014